(57)【要約】      （修正有）【課題】偽造に対抗するための光学的物品に用いるインクにおいて、見る角度に基づいて可変の光学的特性、例えば、色、反射性を有するインクを提供する。【解決手段】基板１０４上に印刷した光学的物品１０２は、有機結合剤と、及び有機結合剤内に設けられた複数の反射性磁気小板であって、複数の反射性磁気小板は、回転面の少なくとも一部分にほぼ一致するよう整列させられ、かつ複数の反射性磁気小板は、基板が第１軸線の周りに回転するとき光学的物品の第１反射効果１０８を生ずるよう、また複数の反射性磁気小板は、基板が第２軸線の周りに回転するとき光学的物品の第２反射効果１１２を生ずるよう整列させられ、第１反射効果は第２反射効果とは異なるものであるような、該反射性磁気小板と、を備える。【選択図】図１Ａ
2020040392.tif 000002
【特許請求の範囲】
【請求項１】
基板上に印刷した光学的物品において、
有機結合剤と、
前記有機結合剤内に設けられた複数の反射性磁気小板であって、
前記複数の反射性磁気小板は、回転面の少なくとも一部分にほぼ一致するよう整列させられ、
前記複数の反射性磁気小板は、前記基板が第１軸線の周りに回転するとき前記光学的物品の第１反射効果を生ずるよう、また前記基板が第２軸線の周りに回転するとき前記光学的物品の第２反射効果を生ずるよう整列させられ、
前記第１反射効果は前記第２反射効果とは異なるものであるような、
該複数の反射性磁気小板と、
を備える、光学的物品。
【請求項２】
請求項１記載の光学的物品において、前記回転面はほぼ漏斗状の形状である、光学的物品。
【請求項３】
請求項１記載の光学的物品において、前記回転面は、放物線又は双曲線に基づいて規定される、光学的物品。
【請求項４】
請求項１記載の光学的物品において、前記回転面は、ほぼ双曲放物面として形成される、光学的物品。
【請求項５】
請求項１記載の光学的物品において、前記第１軸線は水平軸線であり、また前記第２軸線は垂直軸線である、光学的物品。
【請求項６】
請求項１記載の光学的物品において、前記第１軸線は前記第２軸線に対して直交する、光学的物品。
【請求項７】
請求項１記載の光学的物品において、前記回転面は、自然対数に基づいて規定される、光学的物品。
【請求項８】
基板上に光学的物品を形成する方法において、
複数の反射性磁気小板を含んでいる有機結合剤を前記基板上に設けるステップと、
１つ又はそれ以上の磁石を用いて前記有機結合剤に対して磁場を印加する磁場印加ステップであって、前記磁場は、前記複数の反射性磁気小板を回転面の少なくとも一部分にほぼ一致するよう整列させるものであり、
前記複数の反射性磁気小板は、前記基板が第１軸線の周りに回転するとき前記光学的物品の第１反射効果を生ずるよう、また前記基板が第２軸線の周りに回転するとき前記光学的物品の第２反射効果を生ずるよう整列させられ、
前記第１反射効果は前記第２反射効果とは異なるものであるようにされる、
該磁場印加ステップと、
前記有機結合剤を固化又は硬化させるステップと、
を含む、方法。
【請求項９】
請求項８記載の方法において、前記回転面はほぼ漏斗状の形状である、方法。
【請求項１０】
請求項８記載の方法において、前記１つ又はそれ以上の磁石は、互いに平行に設けた２つの磁石を含み、前記２つの磁石のコーナーは切除した又は丸みを付けたものである、方法。
【請求項１１】
請求項８記載の方法において、前記回転面は、ほぼ双曲放物面として形成される、方法。
【請求項１２】
請求項８記載の方法において、前記１つ又はそれ以上の磁石は、同一平面となるよう設けられたほぼ三角形の２つの磁石を含む、方法。
【請求項１３】
請求項１２記載の方法において、前記ほぼ三角形の２つの磁石の第１側面は前記有機結合剤に平行かつ前記有機結合剤から遠位側となり、また前記ほぼ三角形の２つの磁石の第２側面は前記有機結合剤に直交しかつ互いに接触するよう設けられる、方法。
【請求項１４】
請求項８記載の方法において、前記１つ又はそれ以上の磁石は、２又はそれ以上の三角形切欠きが付いた磁石を含む、方法。
【請求項１５】
複数の反射性磁気小板を有する光学的物品を備える文書であって、
前記複数の反射性磁気小板は、回転面の少なくとも一部分にほぼ一致するよう整列させられ、
前記複数の反射性磁気小板は、前記光学的物品が第１軸線の周りに回転するとき前記光学的物品の第１反射効果を生ずるよう、また前記光学的物品が第２軸線の周りに回転するとき前記光学的物品の第２反射効果を生ずるよう整列させられ、
前記第１反射効果は前記第２反射効果とは異なるものである、文書。
【請求項１６】
請求項１５記載の文書において、前記第１反射効果は、前記光学的物品からの反射の第１部分の拡大化及び前記光学的物品からの反射の第２部分の狭小化である、文書。
【請求項１７】
請求項１５記載の文書において、前記第２反射効果は、前記光学的物品からの反射の第１部分の第１側方移動であり、前記第１側方移動は、前記光学的物品からの前記反射の第２部分の第２側方移動よりも大きい、文書。
【請求項１８】
請求項１５記載の文書において、前記第１反射効果は、前記光学的物品からの反射の左側部分及び右側部分の第１移動であり、前記第１移動は、前記光学的物品からの前記反射の中心部分の第２移動よりも大きい、文書。
【請求項１９】
請求項１５記載の文書において、前記第２反射効果は、前記光学的物品からの反射の第１ハーフを明るくし、また前記光学的物品からの前記反射の第２ハーフを暗くすることである、文書。
【請求項２０】
請求項１５記載の文書において、前記第１軸線は水平軸線であり、また前記第２軸線は垂直軸線である、文書。
【発明の詳細な説明】
【背景技術】
【０００１】
通貨代替物、証明書等々のような幾つかの文書は、偽造に対抗するため若干の光学的物品を使用することがあり得る。このような光学的物品の一例は、見る角度に基づいて可変の光学的特性（例えば、色、反射性）を有するインクである。
【発明の概要】
【課題を解決するための手段】
【０００２】
可能な幾つかの実施形態において、基板上に印刷した光学的物品は、有機結合剤と、及び前記有機結合剤内に設けられた複数の反射性磁気小板であって、前記複数の反射性磁気小板は、回転面の少なくとも一部分にほぼ一致するよう整列させられ、かつ前記複数の反射性磁気小板は、前記基板が第１軸線の周りに回転するとき前記光学的物品の第１反射効果を生ずるよう、また前記基板が第２軸線の周りに回転するとき前記光学的物品の第２反射効果を生ずるよう整列させられ、前記第１反射効果は前記第２反射効果とは異なるものであるような、該複数の反射性磁気小板と、を備えることができる。
【０００３】
可能な幾つかの実施形態において、基板上に印刷した光学的物品を形成する方法は、複数の反射性磁気小板を含んでいる有機結合剤を前記基板上に設けるステップと、１つ又はそれ以上の磁石を用いて有機結合剤に対して磁場を印加する磁場印加ステップであって、前記磁場は、前記複数の反射性磁気小板を回転面の少なくとも一部分にほぼ一致するよう整列させ、前記複数の反射性磁気小板は、前記基板が第１軸線の周りに回転するとき光学的物品の第１反射効果を生ずるよう、また前記基板が第２軸線の周りに回転するとき光学的物品の第２反射効果を生ずるよう整列させられ、第１反射効果は第２反射効果とは異なるものであるようにされる、該磁場印加ステップと、及び前記有機結合剤を固化又は硬化させるステップと、を備えることができる。
【０００４】
可能な幾つかの実施形態において、文書は、複数の反射性磁気小板を有する光学的物品であって、前記複数の反射性磁気小板は、回転面の少なくとも一部分にほぼ一致するよう整列させられ、かつ複数の反射性磁気小板は、前記光学的物品が第１軸線の周りに回転するとき前記光学的物品の第１反射効果を生ずるよう、また前記光学的物品が第２軸線の周りに回転するとき前記光学的物品の第２反射効果を生ずるよう整列させられ、前記第１反射効果は前記第２反射効果とは異なるものである、該光学的物品を備えることができる。
【図面の簡単な説明】
【０００５】
【図１Ａ】漏斗状回転面に基づいて形成された光学的物品の説明図である。
【図１Ｂ】漏斗状回転面に基づいて形成された光学的物品の説明図である。
【図１Ｃ】漏斗状回転面に基づいて形成された光学的物品の説明図である。
【図１Ｄ】漏斗状回転面に基づいて形成された光学的物品の説明図である。
【図１Ｅ】漏斗状回転面に基づいて形成された光学的物品の説明図である。
【図２Ａ】漏斗状回転面に基づいて形成された他の光学的物品の説明図である。
【図２Ｂ】漏斗状回転面に基づいて形成された他の光学的物品の説明図である。
【図３Ａ】鞍（サドル）状回転面に基づいて形成された光学的物品の説明図である。
【図３Ｂ】鞍状回転面に基づいて形成された光学的物品の説明図である。
【図３Ｃ】鞍状回転面に基づいて形成された光学的物品の説明図である。
【図３Ｄ】鞍状回転面に基づいて形成された光学的物品の説明図である。
【図４】回転面に基づいて光学的物品を形成するプロセスの実施例におけるフローチャートである。
【発明を実施するための形態】
【０００６】
例示的実施形態を添付図面につき以下に詳細に説明する。異なる図面における同一参照符号は、同一又は類似の要素を特定することができる。
【０００７】
光学的物品は、光の角度又は見る角度に基づいて反射効果を発生することができる。幾つかの光学的物品は、このような反射効果を生ずるよう反射性磁気小板を使用することができる。例えば、磁気小板は、有機結合剤内に分散させ、また可撓性基板（例えば、文書、通貨、証明書、取引カード）のような、基板上にコーティングすることができる。磁気小板は、磁気小板に整形した３次元ミラーの反射特性を呈せしめ得る磁場に従って（例えば、磁場を使用することによって）整列させることができる。このことは、フレネル様反射効果と称することができる。有機結合剤は、固化又は硬化することができる（例えば、養生、紫外線、熱、エポキシ、等々を使用して）。とくに、光学的物品は、薄く（例えば、基板よりも厚さがそれほど厚くないものであり得る）、通貨及び他のこのような用途に有用な光学的物品をなし得る可撓性を有するものであり得る。
【０００８】
本明細書記載の幾つかの実施形態は、回転面に基づく光学的物品を提供する。回転面は、軸線周りに２次元曲線を回転させることにより生ずる３次元表面である。回転面は方位対称性を有することができる。本明細書記載の幾つかの実施形態は、回転面に基づく反射効果を生ずるよう回転面に基づいて発生する磁場を使用することができる。例えば、本明細書記載の幾つかの実施形態は、漏斗状回転面に基づくものとし、また幾つかの方位で漏斗に類似する反射効果を付与できる。本明細書記載の他の実施形態は、鞍状回転面に基づくものとし、また幾つかの方位で鞍（サドル）に類似する反射効果を付与できる。
【０００９】
上述の光学的物品は、基板(又は光学的物品）が第１軸線の周りに回転するとき光学的物品の第１反射効果を生ずるよう、また複数の反射性磁気小板は、基板又は光学的物品が第２軸線の周りに回転するとき光学的物品の第２反射効果を生ずるよう整列させられる磁気小板を有することができる。反射効果、並びに磁気小板を相応的に整列させる磁石構成を以下により詳細に説明する。光学的物品が異なる軸線周りに回転するとき互いに異なる反射効果を生ずるようにすることによって、単一回転軸線を使用する光学的物品に比べて、光学的物品の複雑さを向上させる。したがって、単一回転軸線を使用する文書に比べると、この光学的物品を用いる文書のセキュリティは向上する。
【００１０】
図１Ａ〜１Ｅは、漏斗状回転面に基づいて形成された光学的物品１０２の実施例１００の説明図である。第１ビュー（例えば、基板１０４を軸線周りに回転しない状態の正面図）における光学的物品１０２の拡大図を図１Ａの上部に示す。ここで、基板１０４は法定紙幣のような文書である。幾つかの実施形態において、基板１０４は文書を含まないものとすることができる。例えば、光学的物品１０２は、文書に貼付される基板上に形成する（例えば、光学的物品１０２を形成する前又は後に）ことができる。
【００１１】
図示のように、光学的物品１０２は漏斗状反射を呈し、この漏斗状反射は、漏斗状回転面に基づいた磁場による光学的物品１０２の磁気小板の整列に基づくものであり得る。このことを、以下に図１Ｂ及び１Ｃにつきより詳細に説明する。
【００１２】
参照符号１０６で示すように、基板１０４（又は光学的物品１０２）を第１軸線（水平軸線）周りに回転させるとき、この回転は第１反射効果１０８を生ぜしめることができる。ここで、第１反射効果１０８は、漏斗状反射の頂部の拡大化（水平方向の）及び漏斗状反射の底部の狭小化（水平方向の）である。このことは、以下により詳細に説明するように、漏斗状回転面を有する磁気小板の整列に基づくものであり得る。幾つかの実施形態において、第１反射効果は、反射の第１部分（例えば、頂部）の拡大化及び反射の第２部分（例えば、底部）の狭小化であり得る。
【００１３】
参照符号１１０で示すように、基板１０４（又は光学的物品１０２）を第２軸線（垂直軸線及び／又は第１軸線に直交する軸線）周りに回転させるとき、この回転は、第１反射効果１０８とは異なる第２反射効果１１２を生ぜしめることができる。ここで、第２反射効果１１２は、漏斗状反射の頂部の左方シフトとともに、漏斗状反射の底部ポイントがほぼ不動のままでいる。換言すれば、第２反射効果は、反射の第１部分の第１側方移動（例えば、漏斗状反射の頂部の左方又は右方へのシフト）とすることができ、この第１側方移動は、反射の第２部分の第２側方移動よりも大きい（例えば、底部ポイントがほぼ不動のままでいる）。
【００１４】
図１Ｂは、図１Ａに示した光学的物品１０２を作成するのに使用した回転面、並びに回転面を作成するのに使用した曲線の実施例を示す。この曲線を参照符号１１４で示す。図示のように、この曲線は自然対数に基づいて規定することができる。幾つかの実施形態において、この曲線は、対数及び／又はそれに類するような、他の数学的関係性に基づいて規定することができる。参照符号１１６で示すように、回転面は、Ｙ軸周りに曲線を回転させることによって作成することができる。回転面のチェック模様表示は分かり易くするため参照符号１１８で示す。
【００１５】
図１Ｂに示す回転面は単に説明目的で示す。磁気小板を整列させるのに使用される正確な磁場は、磁石作製における変動、磁場整形化における困難さ、又は他の理由に起因して、図１Ｂに示したのとは異なることがあり得る。例えば、磁場の偏差は、約０.７９３７５ｍｍ〜５０.８ｍｍ（０.０３１２５インチ〜２インチ）の範囲内で変動することができ、又は設計者の選択及び磁石サイズの選択に基づいて一層変動し得る。本明細書記載の回転面は単に例示的であり、かつ説明目的のために提示されると理解されたい。
【００１６】
図１Ｃは、図１Ｂにおける参照符号１１６及び１１８によって示した回転面に近似する磁場を提供することができる磁石１２０の実施例を示す。光学的物品１０２の平面を参照符号１２２で示す。図から分かるように、このような磁石によって生ずる磁力線は、平面１２２内で異なる半径を有することができる。したがって、図１Ａに示した漏斗状反射効果を生ずる光学的物品１０２は、図１Ｃに示す磁石１２０を用いて、図１Ｂに示す回転面１１６、１１８に基づいて形成することができる。
【００１７】
光学的物品１０２の実施例を図１Ｄにおける参照符号１２４によって示す。例えば、図１Ｄに示す実施例は、光学的物品１０２の中心における光学的物品１０２の断面を示すことができる。図示のように、光学的物品１０２は反射性磁気小板１２８が懸濁している有機結合剤１２６を有することができる。さらに図示のように、光学的物品１０２は基板１３０上に設けられる。反射性磁気小板１２８は、磁力線１３２に整列することができる。
【００１８】
図１Ｅは、図１Ｄにおける磁力線１３２の斜位像を示す。磁力線１３２によって表される磁場の中心軸線は、参照符号１３６によって特定される記号「ｘ」で示される。図から分かるように、磁力線１３２の半径は中心軸線に沿って変化する。図示のように、磁場の中心軸線はより狭い断面の磁場では基板１３０の下方にあり、また磁場が拡大するにつれて、基板１３０に向って進行し、また基板１３０を貫通する。中心軸線の方位が異なる他の実施形態も可能である。例えば、中心軸線は、全体的に基板の上方にある、全体的に基板の下方にある、基板に平行である、基板に貫通する、及び／又はこれらに類する形態となるよう設けることができる。
【００１９】
上述したように、図１Ａ〜１Ｅは例として提示する。他の実施例も可能であり、また図１Ａ〜１Ｅにつき説明したのとは異なるものとすることができる。
【００２０】
図２Ａ及び２Ｂは、漏斗状回転面に基づいて形成された他の光学的物品における実施例２００の説明図である。実施例２００に使用される回転面は、図１Ａ〜１Ｄの実施例１００に使用されるのとほぼ類似するものとすることができ、またしたがって、図示しない。
【００２１】
第１ビュー（例えば、基板２０４を軸線周りに回転しない状態の正面図）における光学的物品２０２の拡大図を図２Ａの上部に示す。図示のように、光学的物品２０２は漏斗状反射を呈し、この漏斗状反射は、光学的物品２０２の漏斗状反射よりも、頂部が狭くまた底部が幅広くなっている。このことは、以下に図２Ｂにつき説明するように、対応する磁場を形成するのに使用される磁石の形状及び／又は方位における差に起因するものであり得る。
【００２２】
参照符号２０６で示すように、基板２０４（又は光学的物品２０２）を第１軸線（例えば水平軸線）周りに回転させるとき、この回転は第１反射効果２０８を生ぜしめることができる。ここで、第１反射効果２０８は、漏斗状反射の頂部の拡大化（水平方向の）及び漏斗状反射の底部の狭小化（水平方向の）である。参照符号２１０で示すように、基板２０４（又は光学的物品２０２）を第２軸線（例えば垂直軸線及び／又は第１軸線に直交する軸線）周りに回転させるとき、この回転は、第１反射効果２０８とは異なる第２反射効果２１２を生ぜしめる。ここで、第２反射効果２１２は、漏斗状反射の頂部の左方シフトである。
【００２３】
図２Ｂは、光学的物品２０２を作成するのに使用した回転面に近似する磁場を生ずる磁石２１４のセットの実施例を示す。光学的物品２０２の平面を参照符号２１６で示す。図示のように、磁石２１４のセットにおける配列は、図１Ｃに示す磁場と比べると細長の形状を有する磁場を生ずる。幾つかの態様においては、２個より多い数の磁石２１４を使用することができる。例えば、任意な数の磁石２１４を使用して図示の磁場を生成することができる。したがって、図２Ａに示す漏斗状反射効果を付与する光学的物品２０２は、図２Ｂに示す磁石２１４のセットを使用して形成することができる。
【００２４】
上述したように、図２Ａ及び２Ｂは単に実施例として提示する。他の実施例も可能であり、また図２Ａ及び２Ｂにつき説明したのとは異なるものとすることができる。
【００２５】
図３Ａ〜３Ｄは、鞍状回転面に基づいて形成された光学的物品３０２の実施例３００の説明図である。第１ビュー（例えば、基板３０４を軸線周りに回転しない状態の正面図）における光学的物品３０２の拡大図を図３Ａの上部に示す。図示のように、光学的物品３０２は鞍状反射を呈する（鞍状形状の例として、以下に詳細に説明する図３Ｃの鞍状回転面を参照）。
【００２６】
参照符号３０６で示すように、光学的物品３０２を第１軸線（例えば水平軸線）周りに第１方向に回転させるとき、この回転は第１反射効果を生ぜしめることができ、この第１反射効果においては、反射は端縁が下向きに移動するとともに、中心はほぼ不動のままである。例えば、反射の左側部分及び右側部分は下向きに湾曲し得る。参照符号３０８で示すように、光学的物品３０２を第１軸線周りに第２方向に回転させるとき、反射は端縁が上向きに移動するとともに、中心はほぼ不動のままである。例えば、反射の左側部分及び右側部分は上向きに湾曲し得る。図から分かるように、光学的物品３０２が第１軸線周りに回転するとき、光学的物品３０２の反射光帯域によって占められていない領域（例えば、光学的物品３０２の頂部中心及び底部中心における三角形区域）は暗いままである。
【００２７】
図３Ｂに参照符号３１０で示すように、光学的物品３０２を第２軸線（例えば垂直軸線及び／又は第１軸線に直交する軸線）周りに第１方向に回転させるとき、この回転は、第２反射効果を生ぜしめることができる。ここで、第２反射効果は、光学的物品３０２の左側半部（例えば第１ハーフ）を明るくし、また光学的物品３０２の右側半部（例えば第２ハーフ）を暗くすることである。同様に、参照符号３１２で示すように、光学的物品３０２を第２軸線周りに第２方向に回転させるとき、この第２反射効果は光学的物品３０２の右側半部の明輝度化である。
【００２８】
図３Ｃは、鞍状回転面３１６、３１８を作成するのに使用し得る曲線３１４の実施例を示す。幾つかの実施形態において、この曲線３１４は、放物線（例えば、方程式ｘ＝ｂ・ｙ２＋ｃによって規定される（図３Ｃには、ｂ及びｃは示さない））、又は双曲線とすることができ、また鞍状回転面３１６、３１８は、放物面又は断片又は双曲放物面とすることができる。
【００２９】
図３Ｄは、光学的物品３０２を形成するため、鞍状回転面３１６、３１８に基づく磁場を生成するのに使用できる磁石構成の実施例を示す。参照符号３２０で示すように、磁石の第１構成は、光学的物品３０２の平面３２２に直交する平面と同一平面状にして設けたほぼ三角形の磁石を有することができる。例えば、ほぼ三角形の２個の磁石における第１側面３２４が平面３２２に平行かつ平面３２２から遠位側となるように設け、ほぼ三角形の２個の磁石における第２側面３２６が有機結合剤に対して直交する平面内にあり、互いに接触（又は近接離間）するように設けることができる。参照符号３２８で示すように、第２構成は三角形の切欠き３３０が付いた磁石を有する。幾つかの実施形態において、この第２構成は、中心ポイント３３４で合体する２個の三角形磁石を使用することができ、長方形部分３３２は中心ポイント３３４から遠位にある。
【００３０】
上述したように、図３Ａ〜３Ｄは単なる例として提示する。他の実施例も可能であり、また図３Ａ〜３Ｄにつき説明したのとは異なるものとすることができる。
【００３１】
図４は、本明細書記載の様々な実施形態による光学的物品を形成する例示的プロセス４００のフローチャートである。図４に記載される操作のうち１つ又はそれ以上は、反射性磁気小板を含む有機結合剤を設けることができるシステムのようなシステムが有機結合剤に対して磁場を印加し、また有機結合剤を固化又は硬化することによって実施することができる。
【００３２】
図４に示すように、プロセス４００は、複数の反射性磁気小板を含む有機結合剤を基板上に設けるステップ（ブロック４１０）を備える。例えば、有機結合剤は基板上に設けることができる。有機結合剤は、化学反応によって固化又は硬化でき、かつ少なくとも部分的に透明であるインク又は他の物質とすることができる。幾つかの実施形態において、有機結合剤は、枚葉送りオフセット印刷機及び輪転オフセット印刷機のための、ＵＶランプ技術を用いて硬化する高反応性ＵＶインク、例えば、ＵＶ硬化性インク（例えば、フリントグループ社によるXCURA EVO、フリントグループ社によるUltraking 6100 FAST CURE、等々）とすることができる。例えば、ＵＶ硬化性インクは、４つの成分、すなわち、モノマー（単量体）、オリゴマー、顔料、及び光開始剤を含むことができる。モノマーは、インクの基礎的要素をなすことができ、また硬化したときインクの柔らかさ又は硬さ、並びに可撓性又は用途タイプを変化させるためのインクの伸び特性のような若干の特性に関与することができる。インク調合におけるオリゴマーは、広範囲にわたる異なる基板に印刷するための反応性樹脂及び独自に調合された接着剤成分を含む。顔料は色を付与する。光開始剤がＵＶ光に被曝するとき、オリゴマー及びモノマーを架橋又は重合化する。
【００３３】
有機結合剤は複数の反射性磁気小板を含むことができる。この磁気小板は、約１０μｍ×１０μｍ×０.５μｍ〜約１００μｍ×１００μｍ×１０μｍの範囲における寸法を有するほぼ平坦な粒子を含むことができる。これら粒子は、異なる座標の層を含むことができる。１つ又はそれ以上の層は、外部磁石の磁場内又は外部磁石で磁化することができる。幾つかの事例において、反射性磁気小板は、多くのセキュリティ顔料粒子のうちの１つである。反射性磁気小板は、強磁性合金のような磁気的に軟らかい又は硬い材料から作製した層を含むことができる。中心コアは反射体として２つ又はそれ以上のアルミニウム層でコーティングすることができる。アルミニウム層は、ＭｇＦ２、ＳｉＯ２等々のような透明材料でコーティングすることができる。半透明クロム層を透明材料の頂面にコーティングすることができる。この特別な材料は、セキュリティ光学的可変磁気顔料（ＯＶＭＰ）として知られている。顔料は、上述のＵＶ硬化性有機結合剤と混合して、重要文書上における偽造防止セキュリティ要素の印刷に使用されるセキュリティ光学的可変磁気インク（ＯＶＭＩ）を形成することができる。
【００３４】
幾つかの実施形態において、基板は文書とすることができる、又は文書に貼付することができる。幾つかの実施形態において、有機結合剤及び小板（及び随意的に基板）は、集合的に光学的物品と称することができる。
【００３５】
さらに図４に示すように、プロセス４００は、１つ又はそれ以上の磁石の使用により磁場を有機結合剤に印加するステップであって、前記磁場は、前記複数の反射性磁気小板を回転面の少なくとも一部分にほぼ一致するよう整列させるものである、該ステップ（ブロック４２０）を備える。例えば、磁場は、１つ又はそれ以上の磁石の使用により磁場を有機結合剤に印加する。幾つかの実施形態において、電場又は電磁場を使用して、複数の反射性磁気小板を整列させるために有機結合剤に印加すべき磁場を生成することができる。例えば、電場は、実施例１００、２００及び／又は３００につき説明した形状をほぼ有することができる。磁場は、複数の反射性磁気小板を回転面の少なくとも一部分にほぼ一致するよう整列させることができる。例えば、磁場は、回転面の少なくとも一部分の形状をほぼ有することができる。幾つかの実施形態において、複数の反射性磁気小板は、基板が第１軸線の周りに回転するとき光学的物品の第１反射効果を生ずるよう整列させることができる。さらに、複数の反射性磁気小板は、基板が第２軸線の周りに回転するとき光学的物品の第２反射効果を生ずるよう整列させることができる。第１反射効果は前記第２反射効果とは異なるものであるようにすることができる。
【００３６】
さらに図４に示すように、プロセス４００は、有機結合剤を固化又は硬化させるステップ（ブロック４３０）を備えることができる。例えば、有機結合剤（例えば、インク）は固化又は硬化することができる。このことは、磁場（電場又は電磁場）との整列状態に反射小板をロックすることができる。幾つかの実施形態において、有機結合剤は、硬化技術及び／又はこれに類する技術に基づいてＵＶ光を用いて、又は熱を用いて固化又は硬化することができる。
【００３７】
プロセス４００は、以下に説明するような任意な単独の実施形態又若しくは実施形態の任意な組合せ及び／又は本明細書記載の１つ又はそれ以上の他のプロセスと関連する追加の実施形態を含むことができる。
【００３８】
幾つかの実施形態において、回転面は自然対数に基づいて規定される。幾つかの実施形態において、回転面はほぼ漏斗状の形状とする。幾つかの実施形態において、回転面は放物線又は双曲線に基づいて規定される。幾つかの実施形態において、回転面はほぼ双曲放物面の形状とする。幾つかの実施形態において、第１軸線は水平軸線とし、また第２軸線は垂直軸線とする。幾つかの実施形態において、第１軸線は第２軸線に対して直交する。
【００３９】
幾つかの実施形態において、１つ又はそれ以上の磁石は、互いに平行に設けられた２つの磁石を含み、２つの磁石のコーナーは切除又は丸みを付ける。幾つかの実施形態において、１つ又はそれ以上の磁石は、互いに同一平面となるよう設けられたほぼ三角形の２つの磁石を含む。幾つかの実施形態において、ほぼ三角形の２つの磁石の第１側面は有機結合剤に平行かつ有機結合剤から遠位側となり、またほぼ三角形の２つの磁石の第２側面は有機結合剤に直交しかつ互いに接触するよう設けられる。幾つかの実施形態において、１つ又はそれ以上の磁石は、２又はそれ以上の三角形切欠きが付いた磁石を含む。
【００４０】
幾つかの実施形態において、第１反射効果は、光学的物品からの反射の第１部分の拡大化かつ光学的物品からの反射の第２部分の狭小化である。幾つかの実施形態において、第２反射効果は、光学的物品からの反射の第１部分の第１側方移動であり、この第１側方移動は光学的物品からの反射の第２部分の第２側方移動よりも大きいものである。
【００４１】
幾つかの実施形態において、第１反射効果は、光学的物品からの反射の左側部分及び右側部分の第１移動であり、この第１移動は光学的物品からの反射の中心部分の第２移動よりも大きいものである。幾つかの実施形態において、第２反射効果は、光学的物品からの反射の第１半部における明輝化であり、また光学的物品からの反射の第２半部における暗黒化である。
【００４２】
図４はプロセス４００の例示的ブロックを示すが、幾つかの実施形態において、プロセス４００は、追加のブロック、より少ないブロック、異なるブロック、又は図４に示す配列とは異なる配列にしたブロックを含むことができる。付加的又は代案的に、プロセス４００のブロックのうち２つ又はそれ以上を並列的に実施することができる。
【００４３】
このようにして、光学的物品を異なる軸線周りに回転させるときに異なる反射効果を生ずる。このことは光学的物品の複雑さを向上させることができる。このようにして、この光学的物品を使用する文書のセキュリティは向上する。
【００４４】
上述の開示は図解及び説明を提供するが、排他的又は実施形態を開示された通りの形態に限定することを意図するものではない。変更及び改変は、上述の開示を考慮して可能であり、又は実施形態の実施から知得することができる。
【００４５】
本明細書に使用されるように、用語「コンポーネント」は、ハードウェア、ファームウェア並びに／又はハードウェア及びソフトウェアの組合せとして広く解されることを意図する。
【００４６】
本明細書記載のシステム及び／又は方法は、ハードウェア、ファームウェア又はハードウェア及びソフトウェアの組合せの異なる形態で実装することができる。これらシステム及び／又は方法を実現するのに使用される実際の専用制御ハードウェア又はソフトウェアコードは実施形態を限定しない。したがって、システム及び／又は方法における運用及び挙動は特定ソフトウェアコードを参照することなく、本明細書で説明したものであり、ソフトウェア及びハードウェアは、本明細書記載の説明に基づいてシステム及び／又は方法を実現するよう設計することができると理解されたい。
【００４７】
特徴の特別な組合せを特許請求の範囲に記載し、及び／又は本明細書で開示したが、これら組合せは可能な実施形態の開示を制限することを意図しない。実際、これら特徴の多くは、特許請求の範囲に記載されない、及び／又は本明細書で開示されないやり方で組み合わせることができる。特許請求の範囲で列挙される各従属請求項は、１つの請求項にのみ直接従属するが、可能な実施形態の開示は、請求項セットにおけるすべての他の請求項と組み合わせた各従属請求項を含む。
【００４８】
本明細書に使用される要素、行為又は命令のいずれも、そうであると明示しない限り、厳密又は必須であると解すべきでない。本明細書に使用される冠詞「a」及び「an」は、１つ又はそれ以上の項目を含むことを意図し、また「１つ又はそれ以上の（one or more）」と互換的に使用することができる。さらに、本明細書に使用される用語「セット（set）」は１つ又はそれ以上の項目（例えば、関連項目、無関連項目、関連項目及び無関連項目の組合せ、等々）を含むことを意図し、また「１つ又はそれ以上の」と互換的に使用することができる。単に１つの項目を意図する場合、用語「１つ（one）」又は類似の言葉遣いを使用する。さらに、本明細書に使用される用語「has」、「have」、「having」又はそれに類する用語は、制約がない用語であることを意図する。さらに、語句「に基づいて（based on）」はそれ以外を明示しない限り「に少なくとも部分的に基づいて（based, at least in part, on）」を意味することを意図する。
【図１Ａ】
2020040392.tif 000003
【図１Ｂ】
2020040392.tif 000004
【図１Ｃ】
2020040392.tif 000005
【図１Ｄ】
2020040392.tif 000006
【図１Ｅ】
2020040392.tif 000007
【図２Ａ】
2020040392.tif 000008
【図２Ｂ】
2020040392.tif 000009
【図３Ａ】
2020040392.tif 000010
【図３Ｂ】
2020040392.tif 000011
【図３Ｃ】
2020040392.tif 000012
【図３Ｄ】
2020040392.tif 000013
【図４】
2020040392.tif 000014
【外国語明細書】
2020040392000001.pdf